(57)【要約】【課題】携帯電話基地局の電波の受信レベルを検出し、通信抑止装置の設置条件から最適な送信出力を自動的に調整する機能を備える通信抑止装置、通信抑止方法及び通信抑止プログラムを提供する。【解決手段】通信抑止装置１は、劇場やコンサートホールなどの所定のエリア内に設置されるものであって、キャリアが提供する携帯電話通信サービスにおいて基地局から送信される信号に対して同一の周波数の信号を発信して携帯電話の通信を抑止する装置である。この通信抑止装置１は、携帯電話と同一の周波数の抑止信号を発信する抑止装置２と、エリア内において基地局から送られる電波を受信する受信装置スレーブ３と、受信装置スレーブ３において受信された信号をもとに抑止装置２における最適な抑止電波を検出し出力データとして抑止装置２へ送信する受信装置マスター４とから構成される。【選択図】図１
2007006018.tif 000002
【特許請求の範囲】
【請求項１】
所定のエリア内に設置され、このエリア内において携帯通信端末の基地局から送信される送信電波に対して携帯通信端末の通信が不能となる抑止電波を発信する通信抑止装置において、
前記エリア内の通信抑止箇所に設置され、基地局からの電波を検出して受信データを生成する従受信機と、
前記受信データに基づいて前記送信電波に対する前記抑止電波の最適値を前記出力データとして設定する主受信機と、
前記出力データに基づいて、前記抑止電波を発信する抑止機と、を備えることを特徴とする通信抑止装置。
【請求項２】
前記従受信機は、前記抑止電波の電界強度を検出して第２の受信データを生成し、
前記主受信機は、前記第２の受信データに基づいて抑止電波が前記最適値となるように前記出力データを再設定することを特徴とする請求項１記載の通信抑止装置。
【請求項３】
前記従受信機は、前記エリア内に複数設けられていることを特徴とする請求項１又は２記載の通信抑止装置。
【請求項４】
所定のエリア内に設置され、従受信部と主受信部と抑止部とを備えた通信抑止装置が、このエリア内において携帯通信端末の基地局から送信される送信電波に対して携帯通信端末の通信が不能となる抑止電波を発信する処理を実行する通信抑止方法において、
前記従受信部は、前記エリア内の通信抑止箇所において基地局からの電波を検出して受信データを生成する処理を実行し、
前記主受信部は、前記受信データに基づいて前記送信電波に対する前記抑止電波の最適値を前記出力データとして設定する処理を実行し、
前記抑止部は、前記出力データに基づいて前記抑止電波を発信する処理を実行することを特徴とする通信抑止方法。
【請求項５】
前記従受信部は、さらに前記抑止電波の電界強度を検出して第２の受信データを生成する処理を実行し、
前記主受信部は、さらに前記第２の受信データに基づいて抑止電波が前記最適値となるように前記出力データを再設定する処理を実行することを特徴とする請求項４記載の通信抑止方法。
【請求項６】
前記従受信部は、前記エリア内の複数の通信抑止箇所において前記処理を実行することを特徴とする請求項４又は５記載の通信抑止方法。
【請求項７】
所定のエリア内に設置され、従受信部と主受信部と抑止部とを備えた通信抑止装置に、このエリア内において携帯通信端末の基地局から送信される送信電波に対して携帯通信端末の通信が不能となる抑止電波を発信させる通信抑止プログラムにおいて、
前記プログラムは、
前記従受信部に、前記エリア内の通信抑止箇所において基地局からの電波を検出して受信データを生成させ、
前記主受信部に、前記受信データに基づいて前記送信電波に対する前記抑止電波の最適値を前記出力データとして設定させ、
前記抑止部に、前記出力データに基づいて前記抑止電波を発信させることを特徴とする通信抑止プログラム。
【請求項８】
前記プログラムはさらに、
前記従受信部に、前記抑止電波の電界強度を検出して第２の受信データを生成させ、
前記主受信部に、前記第２の受信データに基づいて抑止電波が前記最適値となるように前記出力データを再設定させることを特徴とする請求項７記載の通信抑止プログラム。
【請求項９】
前記プログラムは、前記従受信部に、前記エリア内の複数の通信抑止箇所において前記処理を実行させることを特徴とする請求項７又は８記載の通信抑止プログラム。
【発明の詳細な説明】
【技術分野】
【０００１】
本発明は、携帯電話などによる通信を抑制する通信抑止技術に関する。
【背景技術】
【０００２】
近年、携帯電話やＰＨＳの普及に伴い、いつでもどこでも利用できる手軽さゆえ、それによる弊害も発生している。特に、多数の人が利用する電車や公共施設においては、携帯電話等による通話やメールの送受信が他者の迷惑となることもある。このような弊害を防ぐため、利用者のマナー向上を促すことは基より、公共施設等の設備面においてもさまざまな工夫が施され始めている。
【０００３】
例えば、劇場やコンサートホール等、携帯電話等の呼出音や通話音が演劇や演奏に直接的に影響するような施設においては、携帯電話やＰＨＳの通信を抑止する通信抑止装置を設置するケースが増えている。一般に、通信抑制装置は、予め設定したエリア内において、携帯電話のキャリアから送られる電波と同一周波数帯の抑止電波を発信し、設定エリア内の携帯電話等への受発信を抑止するものである。
【０００４】
このような通信抑止装置の使用は電波法において厳格に規制されており、一定の目的の範囲内に限ってのみ認められている。そこで、このような通信抑止装置として、抑止電波の発信を自動で制御する技術が提案されている。
【特許文献１】特開２００３−８４９０
【発明の開示】
【発明が解決しようとする課題】
【０００５】
しかしながら、従来の通信抑制装置では、電波発信、停止を自動で行うことできるが、その発信する電波のレベルについては配慮がなされていなかった。例えば、コンサートホール等の比較的広い建物内では、携帯電話等の基地局の位置や建物の構造によって、建物内の場所によって電波レベルが異なる。このような場合、通信抑制装置から発信する電波レベルを建物内に均一に発信すれば、電波レベルの弱い場所では抑止電波が過剰となり、電波レベルの強い場所では抑止電波が不足するなど、ばらつきが出る。また、必要以上に抑止電波を発信することは電力の無駄につながる。
【０００６】
従来は、抑止装置自体で携帯電話基地局の電波を受信して送信出力レベルを設定していたが、この従来の方式では、抑止装置の設置位置が電波を抑止するエリア、すなわちコンサートホールの客席などとは異なる場所であるケースが多いため、正確な出力調整ができなかった。
【０００７】
本発明は、上記のような課題を解決するもので、その目的は、携帯電話基地局の電波の受信レベルを検出し、通信抑止装置の設置条件から最適な送信出力を自動的に調整する機能を備える通信抑止装置、通信抑止方法及び通信抑止プログラムを提供することにある。
【課題を解決するための手段】
【０００８】
上記目的を達成するため、請求項１の発明は、所定のエリア内に設置され、このエリア内において携帯通信端末の基地局から送信される送信電波に対して携帯通信端末の通信が不能となる抑止電波を発信する通信抑止装置において、前記エリア内の通信抑止箇所に設置され、基地局からの電波を検出して受信データを生成する従受信機と、前記受信データに基づいて前記送信電波に対する前記抑止電波の最適値を前記出力データとして設定する主受信機と、前記出力データに基づいて、前記抑止電波を発信する抑止機と、を備えることを特徴とする。
【０００９】
請求項４の発明は、請求項１の発明を方法の観点から捉えたもので、所定のエリア内に設置され、従受信部と主受信部と抑止部とを備えた通信抑止装置が、このエリア内において携帯通信端末の基地局から送信される送信電波に対して携帯通信端末の通信が不能となる抑止電波を発信する処理を実行する通信抑止方法において、前記従受信部は、前記エリア内の通信抑止箇所において基地局からの電波を検出して受信データを生成する処理を実行し、前記主受信部は、前記受信データに基づいて前記送信電波に対する前記抑止電波の最適値を前記出力データとして設定する処理を実行し、前記抑止部は、前記出力データに基づいて前記抑止電波を発信する処理を実行することを特徴とする。
【００１０】
請求項７の発明は、請求項１，４の発明をコンピュータプログラムの観点から捉えたもので、所定のエリア内に設置され、従受信部と主受信部と抑止部とを備えた通信抑止装置に、このエリア内において携帯通信端末の基地局から送信される送信電波に対して携帯通信端末の通信が不能となる抑止電波を発信させる通信抑止プログラムにおいて、前記プログラムは、前記従受信部に、前記エリア内の通信抑止箇所において基地局からの電波を検出して受信データを生成させ、前記主受信部に、前記受信データに基づいて前記送信電波に対する前記抑止電波の最適値を前記出力データとして設定させ、前記抑止部に、前記出力データに基づいて前記抑止電波を発信させることを特徴とする。
【００１１】
以上のような態様では、従受信機によって基地局からの送信電波の電波レベルを受信して受信データを生成し、主受信機がそれに基づいて抑止電波出力データとして抑止機から発信される抑止電波の最適値を出力データとし、これに基づいて抑止機が抑止電波を発信する。
【００１２】
このように、従受信機と抑止機とを分離して、従受信機で送信電波の電波レベルを受信することによって、例えば、抑止機が非抑止エリア等に存在する場合であっても、抑止機は最適なレベルの抑止電波の発信が可能となる。また、所定のエリアにおける基地局からの電波レベルに対応した抑止電波の発信が可能となるので、抑止電波が過剰となったり、電波レベルの強い場所では抑止電波が不足するなどの弊害がなくなり、また、電力の無駄を防ぐこともできるようになる。また、受信電波のレベルを従受信機によって検出し、それを抑止電波レベルに活用できるので、抑止電波のレベル調整の自動化が可能となる。
【００１３】
請求項２の発明は、請求項１記載の発明において、前記従受信機は、前記抑止電波の電界強度を検出して第２の受信データを生成し、前記主受信機は、前記第２の受信データに基づいて抑止電波が前記最適値となるように前記出力データを再設定することを特徴とする。
【００１４】
請求項５の発明は、請求項２の発明を方法の観点から捉えたもので、請求項４の発明において、前記従受信部は、さらに前記抑止電波の電界強度を検出して第２の受信データを生成する処理を実行し、前記主受信部は、さらに前記第２の受信データに基づいて抑止電波が前記最適値となるように前記出力データを再設定する処理を実行することを特徴とする。
【００１５】
請求項８の発明は、請求項２，５の発明をコンピュータプログラムの観点から捉えたものであり、請求項７の発明において、前記プログラムはさらに、前記従受信部に、前記抑止電波の電界強度を検出して第２の受信データを生成させ、前記主受信部に、前記第２の受信データに基づいて抑止電波が前記最適値となるように前記出力データを再設定させることを特徴とする。
【００１６】
以上のような態様では、主受信機の出力データに基づいて抑止機が発信した抑止電波を検出し第２の受信データとし、主受信機がこの第２の受信データに基づいて抑止電波を最適値に再設定することによって、抑止電波のレベルをより正確に調整することができるようになる。
【００１７】
請求項３の発明は、請求項１又は２の発明において、前記従受信機は、前記エリア内に複数設けられていることを特徴とする。
請求項６の発明は、請求項３の発明を方法の観点から捉えたもので、請求項４又は５の発明において、前記従受信部は、前記エリア内の複数の通信抑止箇所において前記処理を実行することを特徴とする。
請求項９の発明は、請求項３，６の発明をコンピュータプログラムの観点から捉えたもので、請求項７又は８の発明において、前記プログラムは、前記従受信部に、前記エリア内の複数の通信抑止箇所において前記処理を実行させることを特徴とする。
【００１８】
以上のような態様では、従受信機をエリア内に複数設置することによって、例えば当該エリアに対する基地局の位置によって、エリア内の電波レベルが異なるような場合であっても、従受信機ごとに受信する電波レベルの相違から、基地局の位置が想定可能となり、エリア内の電波レベルに対応した抑止電波の発信が可能となる。
【発明の効果】
【００１９】
以上のように、本発明によれば、携帯電話基地局の電波の受信レベルを検出し、通信抑止装置の設置条件から最適な送信出力を自動的に調整する機能を備える通信抑止装置、通信抑止方法及び通信抑止プログラムを提供することができる。
【発明を実施するための最良の形態】
【００２０】
次に、本発明の通信制御装置を実施するための最良の実施形態（以下「本実施形態」と呼ぶ）について図を参照して説明する。なお、背景技術や課題で既に説明した内容と共通の前提事項は繰り返さない。
【００２１】
〔１．構成〕
図１に示すように、本実施形態の通信抑止装置１は、劇場やコンサートホールなどの所定のエリア内に設置されるものであって、キャリアが提供する携帯電話通信サービスにおいて基地局から送信される電波（以下、「送信電波」という。）に対して同一の周波数の抑止電波を発信して携帯電話の通信を抑止する装置である。この通信抑止装置１は、抑止電波を発信する抑止装置２と、エリア内において基地局から送られる電波を受信する受信装置スレーブ３と、受信装置スレーブ３において受信された信号をもとに抑止装置２における最適な電界強度の抑止電波を検出し出力データとして抑止装置２へ送信する受信装置マスター４とから構成される。
【００２２】
受信装置スレーブ３は、図１に示すように、所定のエリアの任意の数ポイントに配置され、各設置箇所において、基地局からの送信電波あるいは抑止装置２からの抑止電波を受信し、受信装置マスター４に受信データとして送信する手段である。なお、説明の便宜上、抑止電波の受信データについては、第２の受信データという。
【００２３】
より具体的には図２に示すように、受信装置スレーブ３は、基地局からの送信電波と抑止装置２からの抑止電波を受信する電波受信部３１と、スペクトラムアナライザー及び電界強度測定器の機能を備え、受信した電波から周波数帯及び電界強度を検出して受信データを生成する受信データ生成部３２とを備える。また、この受信データを受信装置マスター４へ送信する受信データ送信部３３と、受信装置マスター４から受信要求を受ける要求受信部３４と、送受信共用の分波器ＤＵＰ３５とを備える。
【００２４】
受信装置マスター４は、受信装置スレーブ３からの受信データと予め設定された抑止装置２設置条件をもとに、基地局からの電波に対する最適な抑止電波を出力データとして抑止装置２に送信する手段である。また、受信装置スレーブ３において抑止電波を受信した場合の受信データから抑止装置２から発信される抑止電波が規定値、すなわち、基地局からの電波を抑止するのに十分なレベルに達しているかを確認し、規定値に達していない場合には、抑止装置２に対して再度出力データを送信するように構成されている。
【００２５】
より具体的には図２に示すように、受信装置マスター４は、各抑止装置２との通信を行うマスター通信部４１と、受信装置スレーブ３から送信される受信データ及び各抑止装置２の設置位置に基づいて予め設定された各々の抑止装置２設置条件から各抑止装置２における最適な抑止電波を生成する出力データ調整部４２とを備える。また、受信装置スレーブ３と送受信を行う受信要求送信部４３、受信データ受信部４４及び送受信共用のＤＵＰ４５とからなる通信手段を備える。
【００２６】
ここで、受信装置スレーブ３は、図１に示すように、エリア内の複数箇所に設置されているから、それぞれの受信装置スレーブ３から受信装置マスター４に送られてくる受信データにおける電界強度は各受信装置スレーブ３ごとに異なる。また、送信電波の周波数帯域は、携帯電話キャリアごとに異なるから、受信データにはどの帯域の電波がどの電界強度であるかといった情報が含まれる。そこで、出力データ調整部４２では、どの帯域のどの電界強度の場合に、抑止電波をどのレベルの出力データとするかを予め設定したプリセットテーブル等を備えており、これに基づいて受信データを解析し、所定の周波数帯域における所定の電界強度の出力データを生成する。また、抑止装置２から発信される抑止電波に関する第２の受信データについて、抑止電波の受信レベルが規定値となっているか、すなわち、上記プリセットテーブルにおいて、当該受信データの所定の周波数帯域において、受信データが規定の電界強度に達しているか否かを確認する。
【００２７】
抑止装置２は、図１に示すように、エリアの広さに応じてエリア内に任意に設置し、受信装置マスター４に対して複数で構成することが可能であり、各箇所において、受信装置マスター４から送信される出力データに基づいて決定される抑止電波をエリア内に送信する手段である。
【００２８】
この抑止装置２は、より具体的には図２に示すように、受信装置マスター４とＥｔｈｅｒｎｅｔ等の有線又は無線の通信手段を利用してデータの送受信を行う通信部２１を備える。また、受信装置マスター４から受信した最適な抑止電波の送信レベルに関する出力データを読み込む抑止電波処理部２２と、この抑止電波をエリア内に送信する抑止電波発信部２３とを備える。
【００２９】
次に、所定のエリアとして、客席の前方に舞台を備えたホールを例にとって、このホールにおける上記各装置の配置例を図３に示す。上記のような構成からなる通信抑止装置１では、例えば、受信装置スレーブ３を同図に示すホールの４隅に配置するとともに、それらを統括する受信装置マスター４を、これら受信装置スレーブ３と無線ＬＡＮ等の無線通信手段を介して通信可能な位置に設置する（図示せず。）。また、抑止装置２については、受信装置マスター４と無線通信が可能な位置に設置するが、ここではホールのセンター部分前後に設置している。なお、受信装置スレーブ３は、エリア内のキャリア付近での受信レベルを正確に測定するため、客席に設置し、一方、抑止装置２及び受信装置マスター４については、例えば、天井裏等に設置するのがよい。
【００３０】
なお、各装置の配置は、設置エリアの広さや形状に応じて適宜変更可能であり、図３の例では抑止装置２を前後２つ設けているが、抑止装置２からの発信電波がエリア内において十分なレベルを確保できる場合には、エリアの中心に一つ設ければ十分である。また、受信装置スレーブ３についても、当該エリアからの基地局の位置やエリアの広さ等に基づいて最適な位置及び数を設置することができるが、現実的には２〜４つを配置すれば作用効果は十分に実現できるものである。
【００３１】
〔２．作用効果〕
以上のような構成からなる本実施形態の作用について、図４及び図５を用いて説明する。図４は、本実施形態の通信抑止装置１全体の作用を示すフローチャートである。同図に示すように、通信抑止装置１において、各機器の電源が入ると、抑止装置２、受信装置マスター４、受信装置スレーブ３間で機器の接続確認を行う（ＳＴＥＰ１）。次に、受信装置スレーブ３において、基地局からの携帯電話の送信電波を受信し、この受信電波の周波数帯域及び電界強度を検出して受信データを生成する（ＳＴＥＰ２）。そして、この受信データを受信データ送信部３３から受信装置マスター４に送る。受信装置マスター４では、この受信データから抑止装置２における受信レベル及び周波数帯域に応じた出力電波を設定し、これを出力データとして抑止装置２に送信する（ＳＴＥＰ３）。抑止装置２は、出力データに基づいたレベルの抑止電波を出力する。
【００３２】
次に、この通信受信装置から出力された抑止電波を受信装置スレーブ３が再び受信するとともに、受信装置マスター４へ転送する（ＳＴＥＰ４）。そして、受信装置マスター４は、この受信データをエリア内における携帯電話の通信を抑制するのに必要なレベルに達しているか否かを確認し（ＳＴＥＰ５）、受信データが規定レベルになければ（ＮＯ）、再度出力設定を行う（ＳＴＥＰ３）。一方、受信データが規定レベルに達している場合には（ＹＥＳ）、そのままの設定で抑止電波を発信し送信電波の抑止を開始する（ＳＴＥＰ６）。
【００３３】
次に、抑止装置２、受信装置マスター４及び受信装置スレーブ３の具体的な処理について、図５のシーケンス図を参照して説明する。まず、各機器に電源が投入されると、各機器間の接続確認が行われる。続いて、受信装置マスター４が、マスター通信部４１を介して受信装置スレーブ３に対して受信データの要求を行う。これに基づいて、各受信装置スレーブ３は、電波受信部３１において基地局からの携帯電話の電波を受信し、受信データ生成部３２が送信電波の電界強度及び周波数帯域を検出して、これを受信データとし、この受信データを受信データ送信部３３から受信装置マスター４に送る。
【００３４】
受信装置マスター４では、出力データ調整部４２において、受信データに基づいて送信電波の受信レベルを確認し、予め記憶されたプリセットテーブル等に基づいて受信データを解析し、所定の周波数帯域における所定の電界強度の出力データを生成する。そして、これを出力データとして、マスター通信部４１から抑止装置２に送信する。抑止装置２は、通信部２１でこれを受信するとともに、抑止電波処理部２２を介して、抑止電波発信部２３から出力データに基づいて所定の周波数帯域における所定の電界強度の信号を抑止電波として出力する。
【００３５】
受信装置マスター４は、受信装置スレーブ３から受信データを受信すると、この受信データと同レベルの抑止信号を出力データとして設定し、この送信出力データを各抑止装置２へ送信する。また、これとともに抑止装置２に対して抑止電波の送信要求を行う。そうすると、抑止装置２は、受信装置マスター４からの送信要求に応じて抑止電波を出力するとともに、受信装置マスター４に対して抑止電波を送信した旨を通知する。
【００３６】
受信装置マスター４では、この送信応答に応じて、抑止電波の受信電波の電界強度を測定するため、受信装置スレーブ３に受信データの要求を行う。受信装置スレーブ３では、この要求に応じて抑止装置２から発信される抑止電波の受信を開始する。受信装置スレーブ３は、抑止電波を受信し、この電波の電界強度を第２の受信データとして受信装置マスター４へ送信する。
【００３７】
受信装置マスター４では、この第２の受信データに基づいて、抑止電波のレベルが予め設定した抑止電波の規定値に達しているか否か、すなわち、プリセットテーブル等に基づいて、抑止電波が所定の周波数帯域における所定の電界強度か否か確認する。抑止電波のレベルが規定値に達している場合には、設定を完了する。一方、抑止電波のレベルが規定値に達していない場合には、再度規定値データを出力値として設定し、抑止装置２に出力データとして送信するとともに、送信要求を行う。抑止装置２は、この出力データに基づいて、電波の送信を開始し、受信装置マスター４に対して送信応答を行う。
【００３８】
この送信応答を受けると、受信装置マスター４は、この抑止装置２から発信されている抑止電波を受信するように、受信装置スレーブ３に対して受信データの要求を行う。これに基づいて受信装置スレーブ３は、抑止電波の受信を開始し、受信データとして受信装置マスター４へ送信する。受信装置マスター４において、この受信レベルが規定値となっているか否かを確認し、設定を完了する。
【００３９】
以上のような本実施形態の通信抑止装置１によれば、基地局の電波を受信する受信装置スレーブ３をエリア内の各所に設置し、抑止装置２とを分離することで、例えば、抑止装置２の設置位置が非抑止エリアであっても、影響することなく抑止電波の調整が可能になる。
【００４０】
また、受信装置スレーブ３において基地局からの送信電波の電波レベルを受信して受信データを生成し、受信装置マスター４がそれに基づいて抑止電波の出力データとして抑止装置２から発信される抑止電波の最適値を出力データとし、これに基づいて抑止装置２が抑止電波を発信する。
【００４１】
これにより、所定のエリアにおける基地局からの電波レベルに対応した抑止電波の発信が可能となるので、抑止電波が過剰となったり、電波レベルの強い場所では抑止電波が不足するなどの弊害がなくなり、また、電力の無駄を防ぐこともできるようになる。また、受信電波のレベルを受信装置スレーブ３によって検出し、それを抑止電波のレベル調整に活用できるので、抑止電波の調整を自動的に行うことが可能となる。
【００４２】
受信装置マスター４の出力データに基づいて抑止装置２が発信した抑止電波を検出し第２の受信データとし、受信装置マスター４がこの受信データに基づいて抑止電波を最適値に再設定することによって、抑止電波のレベルをより正確に調整することができるようになる。
【００４３】
受信装置スレーブ３をエリア内に複数設置することによって、例えば当該エリアに対する基地局の位置によって、エリア内の電波レベルが異なるような場合であっても、受信装置スレーブ３ごとに受信する電波レベルの相違から、基地局の位置が想定可能となり、エリア内の電波レベルに対応した抑止電波の発信が可能となる。
【図面の簡単な説明】
【００４４】
【図１】本発明の実施形態の全体構成を示すブロック図。
【図２】本発明の実施形態における各装置の具体的な構成を示すブロック図。
【図３】本発明の実施形態における通信抑止装置の設置例を示す模式図。
【図４】本発明の実施形態における概略的処理手順を示すフローチャート。
【図５】本発明の実施形態における処理手順を示すシーケンス図。
【符号の説明】
【００４５】
１…通信抑止装置
２…抑止装置
３…受信装置スレーブ
４…受信装置マスター
２１…通信部
２２…抑止電波処理部
２３…抑止電波発信部
３１…電波受信部
３２…受信データ生成部
３３…受信データ送信部
３４…要求受信部
４１…マスター通信部
４２…出力データ調整部
４３…受信要求送信部
４４…受信データ受信部
３５，４５…ＤＵＰ
【図１】
2007006018.tif 000003
【図２】
2007006018.tif 000004
【図３】
2007006018.tif 000005
【図４】
2007006018.tif 000006
【図５】
2007006018.tif 000007